(57)【要約】【課題】湯水接続継手の周囲を覆う断熱部材のうちの排水栓を覆う部分を着脱可能に構成した断熱部材を設けた温水装置を提供する。【解決手段】内部に温水加熱部を収容した外装ケースと、この外装ケースから突出し、前記温水加熱部に接続される湯水接続継手を備えた温水装置において、湯水接続継手には排水栓が設けられているとともに、この排水栓を含めた湯水接続継手の周囲を覆う断熱部材が設けられており、断熱部材の一部であって前記排水栓を覆う部分が着脱可能に構成されている。【選択図】図２
2018054139.tif 000002
【特許請求の範囲】
【請求項１】
内部に温水加熱部を収容した外装ケースと、この外装ケースから突出し、前記温水加熱部に接続される湯水接続継手を備えた温水装置において、
前記湯水接続継手には排水栓が設けられているとともに、この排水栓を含めた前記湯水接続継手の周囲を覆う断熱部材が設けられており、前記断熱部材の一部であって前記排水栓を覆う部分が着脱可能に構成されていることを特徴とする温水装置。
【請求項２】
前記断熱部材は合成樹脂発泡体の複数の成型品を組み合わせて構成され、前記湯水接続継手の外表面と前記断熱部材の内周面との間には隙間を設けたことを特徴とする請求項１に記載の温水装置。
【請求項３】
前記排水栓は温水加熱部の過圧を逃すための過圧逃がし機能を備えた排水栓であることを特徴とする請求項２に記載の温水装置。
【請求項４】
前記断熱部材は前記湯水接続継手に接続される外部配管の一部をも覆うものであることを特徴とする請求項１〜３の何れか１項に記載の温水装置。
【発明の詳細な説明】
【技術分野】
【０００１】
本発明は温水装置に関し、湯水接続継手の周囲を覆う断熱部材のうちの排水栓を覆う部分を着脱可能に構成した断熱部材を設けた温水装置を提供することである。
【背景技術】
【０００２】
従来から、ガス給湯装置、電気給湯装置、石油給湯装置等の熱源に応じた種々の温水装置が広く一般家庭に普及している。特に、ガス給湯装置は、燃焼用空気を外部から取り込む送風ファン、燃焼用空気と燃料ガスとを混合して燃焼するバーナーユニット、高温の燃焼ガスと伝熱管を流れる水との間で熱交換して水を加熱する熱交換器、熱交換後の排気を外部に排出するための排気筒、上水を導入するための入水管、熱交換して加熱された湯水を排出するための出湯管等を備えている。
【０００３】
上記のガス給湯装置では、入水管を接続するための入水金具や出湯管を接続するための出湯金具は、外装ケースから外部に突出しているため、外気の影響を受けやすく、冬場など温度が低い時期に入水管及び出湯管が凍結するおそれがある。また、熱交換されて加熱された出湯管内の湯水が外気の影響により温度が低下すると、熱効率が悪くなるという問題があった。そこで、入水金具や出湯金具に電気ヒーターを内蔵したり、入水金具や出湯金具を保温材で覆ったりする種々の凍結防止策や熱効率向上策が講じられている。
【０００４】
例えば、特許文献１には、室外設置型ヒートポンプユニットの入水側接続金具と出水側接続金具を覆う保温キャップが開示されている。この保温キャップは、外装ケースの開口部に取付板を介して配置された配管接続金具に対して、この取付板より外側に突出する部分を、上下方向から挟み込んで配管接続金具の周囲を覆う構造であるため、上下に分割された２部材から構成されている。
【先行技術文献】
【特許文献】
【０００５】
【特許文献１】特開２０１３−２１３６１８号公報
【発明の概要】
【発明が解決しようとする課題】
【０００６】
ここで、入水側接続金具及び出水側接続金具には配管回路を手動で操作するための開閉弁が設けられているが、この開閉弁の周囲も保護キャップで覆ってしまうと開閉弁の操作ができなくなるため、特許文献１の保温キャップでは、開閉弁に対応する位置に開口部を設けて、開閉弁を開口部から外部に突出するように構成している。しかし、この保護キャップでは、入水側接続金具及び出水側接続金具の一部分しか保温キャップにて覆われないことになり、上記開口部から放熱するため保温性能に欠けるという問題がある。
【０００７】
一方、開閉弁の周囲も断熱部材で覆ってしまうと、断熱部材を設けた状態での開閉弁の操作が困難となるし、開閉弁が排水機能を備えた排水栓の場合、水抜きなどのメンテナンスも困難となり、開閉弁付き排水栓を機能させることができないという問題がある。
【０００８】
本発明の目的は、湯水接続継手の周囲を覆う断熱部材のうちの排水栓を覆う部分を着脱可能に構成した断熱部材を設けた温水装置を提供することである。
【課題を解決するための手段】
【０００９】
請求項１の温水装置は、内部に温水加熱部を収容した外装ケースと、この外装ケースから突出し、前記温水加熱部に接続される湯水接続継手を備えた温水装置において、前記湯水接続継手には排水栓が設けられているとともに、この排水栓を含めた前記湯水接続継手の周囲を覆う断熱部材が設けられており、前記断熱部材の一部であって前記排水栓を覆う部分が着脱可能に構成されていることを特徴としている。
【００１０】
請求項２の温水装置は、請求項１の発明において、前記断熱部材は合成樹脂発泡体の複数の成型品を組み合わせて構成され、前記湯水接続継手の外表面と前記断熱部材の内周面との間には隙間を設けたことを特徴としている。
【００１１】
請求項３の温水装置は、請求項２の発明において、前記排水栓は温水加熱部の過圧を逃すための過圧逃がし機能を備えた排水栓であることを特徴としている。
【００１２】
請求項４の温水装置は、請求項１〜３の何れか１項に記載の発明において、前記断熱部材は前記湯水接続継手に接続される外部配管の一部をも覆うものであることを特徴としている。
【発明の効果】
【００１３】
請求項１の発明によれば、湯水接続継手には排水栓が設けられているとともに、この排水栓を含めた湯水接続継手の周囲を覆う断熱部材が設けたので、排水栓を含めた湯水接続継手の全体の周囲を断熱部材で覆うことができるため、保温性能を高めることができる。
また、排水栓を覆う断熱部材の一部分を着脱可能に構成したので、断熱部材で覆った状態のまま、この断熱部材の一部分を着脱して排水栓を操作でき、操作性を高めることができる。
【００１４】
請求項２の発明によれば、断熱部材は合成樹脂発泡体の複数の成型品を組み合わせて構成されるので、安価に製造でき、製造コストを抑えることができる。また、湯水接続継手の外表面と断熱部材の内周面との間には隙間を設けたので、空気層が形成されて断熱性能が向上する。
【００１５】
請求項３の発明によれば、排水栓は温水加熱部の過圧を逃すための過圧逃がし機能を備えた排水栓であるため、別途過圧逃し弁を設ける必要がなく、構造を簡単化することができる。また、過圧時に排水栓から排出された湯水を断熱部材の外側へ排出することができるため、断熱部材を装着したまま水抜きが可能となる。
請求項４の発明によれば、断熱部材は湯水接続継手に接続される外部配管の一部をも覆うものであるため、外部配管の保温性能を高めることができる。
【図面の簡単な説明】
【００１６】
【図１】本発明の実施例に係る給湯装置の正面図である。
【図２】湯水接続継手に断熱部材を装着した状態の前方右側からみた分解斜視図である。
【図３】湯水接続継手に断熱部材を装着した状態の前方左側からみた分解斜視図である。
【図４】湯水接続継手に断熱部材を装着した状態の部分縦断面図である。
【図５】断熱部材の前面ブロックと後面ブロックを外した状態の分解斜視図である。
【図６】湯水接続継手に断熱部材を装着した状態の前方上方からみた正面図である。
【発明を実施するための形態】
【００１７】
以下、本発明を実施するための形態について実施例に基づいて説明する。
【実施例】
【００１８】
最初に本発明の給湯装置１の全体構成について説明する。
給湯装置１は、給湯機器として、または暖房機器等の熱源機として適用されるものであり、図１に示すように、燃料ガスを燃焼させて発生する熱を水又は湯水の加熱に利用して給湯するガス給湯器を構成している。
【００１９】
この給湯装置１の内部構造についての図示は省略するが、外装ケース２の内部に燃焼用空気を供給するための送風ファン、燃料ガスを燃焼させるバーナー部、このバーナー部による燃焼ガスと水との間で熱交換する熱交換器部、この熱交換器部による熱交換後の燃焼ガスを排出する排気口、入水管及び出湯管等の各種配管類、各種センサ等からの信号を受信し各種機器を駆動制御する制御ユニット等を備えている。
【００２０】
図１，図２に示すように、給湯装置１は、内部に温水加熱部を含む給湯装置機器を収容した外装ケース２と、この外装ケース２から突出し、温水加熱部に接続された出湯管に接続される湯水接続継手３を備え、湯水接続継手３には排水栓４が設けられているとともに、この排水栓４を含めた湯水接続継手３の周囲を覆う断熱部材５が設けられており、断熱部材５の一部であって排水栓４の先端側を覆う部分が着脱可能に構成されている。
【００２１】
ここで、図１，図４に示すように、湯水接続継手３は、内部に前記出湯管に連なる給湯通路３ａを有し且つ外部の給湯配管９に接続するための継手である。湯水接続継手３の上端部に上端接続部３ｂが、その下端部に給湯接続口３ｃが設けられ、給湯通路３ａの上下方向の中央付近から右方向に向けて排水栓４が水平姿勢で接続されている。なお、この排水栓４は温水加熱部の過圧を逃すための過圧逃がし機能を備えるものである。
【００２２】
湯水接続継手３は外装ケース２の下端側から外部に突出しており、湯水接続継手３の上端接続部３ｂは前記温水加熱部で加熱された湯水が流れる出湯管に接続され、湯水接続継手３の下端部の給湯接続口３ｃは浴槽等へ湯水を供給するための給湯配管９の上端と接続されている。
【００２３】
次に、この湯水接続継手３を覆う断熱部材５の詳細な構造について説明する。
図２，図３に示すように、断熱部材５は、金型を用いて成形された合成樹脂発泡体で形成される、前面ブロック６、後面ブロック７、排水栓カバー８の３つの成型品を組み合わせて構成される。前面ブロック６と後面ブロック７とで湯水接続継手３と給湯接続口３ｃに接続される給湯配管９の上端部分の周囲を前後方向から挟み込んで覆い、排水栓カバー８で排水栓４の先端側の周囲を覆うものである。
【００２４】
前面ブロック６及び後面ブロック７の詳細な構造について、図２，図５に基づいて説明する。尚、図５は、前面ブロック６及び後面ブロック７を湯水接続継手３から取り外して、右端側から開いて内部の状態を示したものである。前面ブロック６の後端面（後面ブロック７と接する面）には、平坦面６Ａ、６Ｂが形成され、この平坦面６Ａ、６Ｂには係合凸部６ａ，６ｂが夫々外側に突出して形成されている。また、後面ブロック７の前端面には前面ブロック６の平坦面６Ａ，６Ｂに当接する平坦面７Ａ、７Ｂが形成され、この平坦面７Ａ、７Ｂには係合凸部６ａ，６ｂが夫々係合される係合凹部７ａ，７ｂが形成されている。
【００２５】
前面ブロック６の平坦面６Ａと平坦面６Ｂの間にはこれらを接続する半円筒状の下側半円筒面６Ｃが形成され、後面ブロック７の平坦面７Ａと平坦面７Ｂの間にはこれらを接続する半円筒状の下側半円筒面７Ｃが形成されている。前面ブロック６と後面ブロック７を組み合わせた際、下側半円筒面６Ｃと下側半円筒面７Ｃとで挿通孔１０が形成され、この挿通孔１０内に湯水接続継手３の下端部分とそれに接続された給湯配管９が挿通された状態となる。
【００２６】
下側半円筒面６Ｃ，７Ｃの上端部から連なるように半円筒状の段部６ｄ，７ｄが形成され、段部６ｄ，７ｄから連なるように半円筒状の上側半円筒面６Ｄ，７Ｄが形成されている。上側半円筒面６Ｄ，７Ｄには複数の小さな突起部６ｅ，７ｅが形成されている。
上記の複数の突起部６ｅ，７ｅは、圧縮により潰れることで、サイズの異なる湯水接続継手３に共通の断熱部材５を適用可能にする為のものである。なお、下側半円筒面６Ｃ，段部６ｄ，上側半円筒面６Ｄは、内径がこの順に小さくなるように形成されている。下側半円筒面７Ｃ，段部７ｄ，上側半円筒面７Ｄについても同様である。
【００２７】
前面ブロック６と後面ブロック７の右端には夫々右端面６Ｅ，７Ｅが形成され、前面ブロック６と後面ブロック７とを組み合わせたときに、右端面６Ｅ，７Ｅによって略Ｙ字状の平坦面１１が形成される。
【００２８】
前面ブロック６の後面側上部には、平坦面６Ａ及び右端面６Ｅの上端と連なる傾斜湾曲面６Ｆが形成され、同様に、後面ブロック７の前面側上部には、平坦面７Ａ及び右端面７Ｅの上端と連なる傾斜湾曲面７Ｆが形成されている。前面ブロック６と後面ブロック７とを組み合わせたときに、傾斜湾曲面６Ｆ，７ＦによってＵ形の係合凹部１２が形成される。なお、係合凹部１２は後述する排水栓カバー８に形成されたＵ形の係合凸部８ａと係合可能に形成されている。
【００２９】
前面ブロック６と後面ブロック７の傾斜湾曲面６Ｆ，７Ｆの左端近傍にはグリップ面６Ｇ，７Ｇが夫々傾斜湾曲面６Ｆ，７Ｆと段をなすように形成され、グリップ面６Ｇ，７Ｇの左端は上側半円筒面６Ｄ，７Ｄと連なっている。尚、グリップ面６Ｇ，７Ｇにも前記と同様の目的の複数の小さな突起部６ｅ，７ｅが形成されている。
【００３０】
前面ブロック６と後面ブロック７の下端部には、夫々半円筒部６ｆ，７ｆが形成されており、前面ブロック６と後面ブロック７とを組み合わせたときに半円筒部６ｆ，７ｆによって円筒裾部１３が形成される。ここで、円筒裾部１３の外径と給湯配管９に外装される配管保温材１４の外径が略等しくなるように形成されており、円筒裾部１３と配管保温材１４の上端部分にビニールテープ等を巻きつけて相互に固定するようになっている。
【００３１】
次に、排水栓カバー８について、図２〜図４に基づいて説明する。
排水栓カバー８の左端面８ＡにはＵ形の係合凸部８ａが左方へ突出するように形成されている。係合凸部８ａのサイズ及び厚みは、係合凹部１２に対応するサイズ及び厚みとなっており、前面ブロック６と後面ブロック７を組み合わせた状態の係合凹部１２に係合凸部８ａを係合させて排水栓カバー８を着脱可能に装着できるように構成されている。
【００３２】
係合凸部８ａの内周面側には、排水栓カバー８を装着した際に排水栓４に臨む内周面８Ｂが、左下がりの傾斜状に形成されている。そのため、排水栓４から漏出した湯水が、内周面８Ｂに滴り落ち、内周面８Ｂに沿って隙間ａ，ｂを経て外部に排出可能になっている。
【００３３】
ここで、前面ブロック６，後面ブロック７及び排水栓カバー８に形成された複数の溝部６ｇ，７ｇ，８ｂ，８ｃについて簡単に説明する。
図２，図３，図６に示すように、前面ブロック６，後面ブロック７及び排水栓カバー８を組み合わせて湯水接続継手３を覆った状態で、４つの角部に４つの溝部６ｇ，７ｇ，８ｂ，８ｃが上下方向同じ高さ位置かつ同じ幅になるように夫々形成されている。
【００３４】
すなわち、断熱部材５の左前側の角部に溝部６ｇが、断熱部材５の左後側の角部に溝部７ｇが、断熱部材５の右前側の角部に溝部８ｂが、断熱部材５の右後側の角部に溝部８ｃが形成されている。この溝部６ｇ，７ｇ，８ｂ，８ｃに沿って固定バンドを巻きつけて締結して、前面ブロック６，後面ブロック７及び排水栓カバー８を組み合わせた断熱部材５を一体的に固定することができる。
【００３５】
次に、本発明の給湯装置１の作用及び効果について説明する。
前記係合凸部６ａ，６ｂを係合凹部７ａ，７ｂに夫々係合させて、前面ブロック６と後面ブロック７とを組み合わせると、湯水接続継手３とこれに接続された給湯配管９の上端部分の周囲を前後方向から挟み込んで覆い、突起部６ｅ，７ｅにより湯水接続継手３の外表面と前面ブロック６及び後面ブロック７の内周面との間に隙間ｂ，ｃを設けて保持した状態となる。
【００３６】
このとき、湯水接続継手３に設けられた排水栓４は、前面ブロック６と後面ブロック７とで形成される係合凹部１２から右側へ突出して、右端側の平坦面１１から突き出た状態となる。このため、前面ブロック６と後面ブロック７は装着状態のまま、排水栓カバー８のみを外して排水栓４を操作でき、操作性を高めることができる。
【００３７】
一方、図６に示すように、排水栓４を操作する必要がない通常の使用状態のときは、前記係合凹部１２へ排水栓カバー８の係合凸部８ａを係合させて、排水栓カバー８を装着し、前面ブロック６，後面ブロック７及び排水栓カバー８の３部材を組み合わせて湯水接続継手３の全体を覆う断熱部材５を構成することができ、断熱部材５により保温性能を高めることができる。このとき、断熱部材５に設けた溝部６ｇ，７ｇ，８ｂ，８ｃに固定バンドを巻きつけて締結することで、前面ブロック６，後面ブロック７及び排水栓カバー８が外れないように相互に締め付けて固定することができる。
【００３８】
また、断熱部材５を装着した際、湯水接続継手３の外表面と断熱部材５の内周面との間には隙間ａ，ｂが形成されるので、湯水接続継手３に設けられた排水栓４から排出された湯水を断熱部材５の外側へ排出することができ、断熱部材５を装着したまま水抜きが可能となる。さらに、断熱部材５は合成樹脂発泡体の複数の成型品を組み合わせて構成されるので、安価に製造でき、製造コストを抑えることができる。
【００３９】
次に、前記実施例を部分的に変更した形態について説明する。
［１］前記実施例において、給湯側の接続継手に断熱部材５を設けた構成を例に説明したが、給水側の接続継手や、暖房側の接続継手に断熱部材５を設けた構成としても良いし、全ての接続継手に断熱部材５を適用しても良い。
【００４０】
［２］その他、当業者であれば、本発明の趣旨を逸脱することなく、前記実施例に種々の変更を付加した形態で実施可能であり、本発明はそのような変更形態を包含するものである。
【符号の説明】
【００４１】
１      給湯装置
２      外装ケース
３      湯水接続継手
４      排水栓
５      断熱部材
６      前面ブロック
７      後面ブロック
８      排水栓カバー
９      給湯配管
ａ，ｂ  隙間
【図１】
2018054139.tif 000003
【図２】
2018054139.tif 000004
【図３】
2018054139.tif 000005
【図４】
2018054139.tif 000006
【図５】
2018054139.tif 000007
【図６】
2018054139.tif 000008